(57)【要約】【課題】  屈曲可能なケーブルダクトにケーブルの収納及びその閉じる作業を容易にしてコストダウンを図る屈曲可能なケーブルダクトを閉じるための接続係止構造を得ること。【解決手段】  一面が開閉接続係止する屈曲可能なケーブルダクトであって、該ケーブルダクトの開閉する開閉端の一方端に凹状係止体と他方端に突状係止体をそれぞれ形成し、該凹状係止体の両先端口部にそれぞれ先端係止部を形成すると共にその奥側に誘導部を形成し、且つ上記他方端の突状係止体が挿入される上側の先端係止部を若干短く形成し、また他方端の突状係止体の基端側の上下双方にそれぞれ基端係止部を形成すると共に先端側に誘導部を形成している。【選択図】図１
2008199869.tif 000002
【特許請求の範囲】
【請求項１】
変形回復力を有する材質により一面が開閉接続係止する接続係止体を有するケーブルダクトとして押出形成し、またケーブルダクトとして使用する時に一方向に屈曲可能なように、所定位置の腰部に所定間隔をもって切断加工した該ケーブルダクトであって、該接続係止体の開閉端の接続係止構造に於いて、該両開閉端の一方端に凹状係止体と他方端に突状係止体をそれぞれ形成し、該凹状係止体の両先端口部にそれぞれ先端係止部を形成すると共にその奥側に誘導部を形成し、且つ上記他方端の突状係止体が挿入される上側の先端係止部を若干短く形成し、また他方端の突状係止体の基端側の上下双方にそれぞれ基端係止部を形成すると共に先端側に誘導部を形成したことを特徴とする屈曲可能なケーブルダクトを閉じるための接続係止構造。
【発明の詳細な説明】
【技術分野】
【０００１】  本発明は、一方向に屈曲可能なケーブルダクトを所定形状のケーブルダクトに閉じるための接続係止構造に関する。
【背景技術】
【０００２】  従来のケーブルダクトのケーブル収納後に閉じるのは、本願出願人が出願した、端面が略四角形状の中空体で、該四角形状の辺の二重に重なり合う辺で閉じる時、内外逆に入れ替えて重ねて保持させるのに、該二重に重なり合う辺の形状および材質の弾性を利用して、閉じた状態を保持させるケーブルダクトがある。（例えば、特許文献１参照）【０００３】  また、ケーブルダクトにケーブル収納後に閉じるのを、カバー部２の先端縁の係合部分とベース部１の一端縁に係合にするように止めて閉じる物としてケーブルダクトおよびその接続構造が提案されている。（例えば、特許文献２参照）【０００４】  さらに、一般的に知られている接続係止構造は、キノコ状の突部とその突部に対応した先端狭窄部を有する凹部があり、該凹部にキノコ状の突部が嵌り込み、凹部先端側の狭窄部で係止して嵌着される構造の物が多く見られ、また従来使用されているケーブルダクトにおいても、ケーブルダクトの収納部にカバーを嵌着して閉じる構造が使用され、さらに、かぎ爪状で引っかけ掛止する物も、多く用いられ良く知られている。【０００５】
【特許文献１】  特願２００６−１２８６７６号公報
【特許文献２】  特開２０００−２５３５３５号公報
【発明の開示】
【発明が解決しようとする課題】
【０００６】  上述した特許文献１のケーブルダクトは、ケーブル収納後、閉じた状態を保持するのに、二重に重なり合う辺の形状および材質の弾性を利用して閉鎖保持させており、このことにより該ケーブルダクトを繰返し屈曲させるように使用する時、その曲げ歪みによりケーブルが二重に重なり合う該一辺の隙間に入込む可能性があり、それによりケーブルの心線が断線する可能性もあることから改善が求められていた。【０００７】  また、ケーブルをケーブルダクトに収納する場合、二重に重なり合う一辺を押し広げその間から収納するか、又は二重に重なり合う両辺を大きく開いた状態で収納するが、その保持する弾力を持った二重に重なり合う一辺、若しくは両辺を大きく開き、保持させることは、ケーブルの収納及び閉じる作業が繁雑で手間が掛かり、作業コストの低減など改善が求められていた。【０００８】  さらに、従来の特許文献２のケーブルダクトおよびその接続構造は、係合部分１１、２１の一カ所で掛止することで嵌合することでカバー部２を閉じる構造で、該ケーブルダクトは元々屈曲させる構造ではないものの、仮に屈曲可能なケーブルダクトとした場合、係合部分１１、２１が単純に一カ所で引っかけ掛止する構造で、屈曲時の歪みにより係合部分１１、２１の嵌合が外れる可能性があり、この一カ所で掛止して閉じる接続構造を持つ屈曲可能なケーブルダクトには、使用できなかった。【０００９】  さらに、一般的に知られる嵌合係止構造において、キノコ状の突部とその突部に対応した凹部により嵌合係止構造が一般的に多用されているが、この構造のものは屈曲可能なケーブルダクトにも使用しても外れることは無いが、逆に、そのことにより嵌合させにくく、ケーブルの収納作業とそのケーブルダクトを閉じる作業が煩雑になり、また嵌合させやすくするために該凹部を緩く形成すると、屈曲時に外れやすくなる欠点がある。【００１０】  そして、特に、ケーブルダクトは長手方向に連続して長く、その長いケーブルダクトをすべて嵌合させて閉じる作業は、上述したように嵌合させにくいものでは、煩雑で手間が掛かりコスト高になり使用できず、加えてケーブルを収納した状態では、ケーブルが邪魔になりさらに嵌合させるのに手間取り、一般的に知られたものでは作業効率が悪かった。
【課題を解決するための手段】
【００１１】  本発明は、上記課題を有効に達成するための解決手段として、一面が開閉接続係止する屈曲可能なケーブルダクトであって、該ケーブルダクトの開閉する開閉端の一方端に凹状係止体と他方端に突状係止体をそれぞれ形成し、該凹状係止体の両先端口部にそれぞれ先端係止部を形成すると共にその奥側に誘導部を形成し、且つ上記他方端の突状係止体が挿入される上側の先端係止部を若干短く形成し、また他方端の突状係止体の基端側の上下双方にそれぞれ基端係止部を形成すると共に先端側に誘導部を形成しているので、板状のケーブルダクトを閉じて所定形状のケーブルダクトとして、所定形状に接続形成する時、接続係止が容易にできる事としている。
【発明の効果】
【００１２】  本発明は、上述した手段によって有効な効果が得られるようにしたもので、特に、変形回復力を有する材質により一面が開閉接続係止する接続係止体を有するケーブルダクトとして押出形成し、またケーブルダクトとして使用する時に一方向に屈曲可能なように、所定位置の腰部に所定間隔をもって切断加工した該ケーブルダクトであって、該接続係止体の開閉端の接続係止構造に於いて、該両開閉端の一方端に凹状係止体と他方端に突状係止体をそれぞれ形成し、該凹状係止体の両先端口部にそれぞれ先端係止部を形成すると共にその奥側に誘導部を形成し、且つ上記他方端の突状係止体が挿入される上側の先端係止部を若干短く形成し、また他方端の突状係止体の基端側の上下双方にそれぞれ基端係止部を形成すると共に先端側に誘導部を形成しているので、
ケーブルダクトにケーブルを収納して閉じる時、該接続係止体の凹状係止体と突状係止体が誘導部により容易に接続でき、またその閉じる接続係止状況において、奥まで挿入した状態で所定方向に屈曲させると凹状係止体と突状係止体が共に屈曲し、その屈曲で先端係止部と基端係止部が嵌合する方向に力が加わり、全体として半嵌合状態でも個々に嵌合させなくとも、前記力により自ら嵌合掛止され、よってケーブルダクトを所定形状に閉じる時、不完全な状態でも閉じる作業が簡単、且つ容易にできることで作業向上が図れ、作業コストの低減によりコストダウンとなる。【００１３】  また、そのケーブルダクトの閉じる作業は、収納するケーブルが多くなれば比例してケーブルの取り纏め作業と閉じる接続係止の作業性が悪くなるが、上述のごとく、閉じる作業が簡単、且つ容易であるため、収納するケーブル数が多くなっても、それら作業効率はあまり影響を受けない。【００１４】  さらに、従来のハーネスなど、予め所定形状で組み立てられたハーネスケーブルは、従来の折り曲げ可能なチェーン状に連結されたダクトを使用する場合、一方端から挿入する構造であるため、ダクト挿入後にケーブルの端末処理をする必要があり、コスト高になっており、このハーネスも後処理することなく完成した状態のものでも、開き、収納、閉じると言う一連の作業で容易に屈曲可能なケーブルダクトに収納使用することができるので、コストダウンが図れ、よって、これらのことから本発明は、実用上著大な効果を奏する。
【発明を実施するための最良の形態】
【実施例】
【００１５】  本発明の実施例を図面に基づいて説明すると、図１及び図２において、１はケーブルダクトで、該ケーブルダクト１は、端面略四角形状の中空体で、該四角形状のケーブルダクト下面部１ａ中央に接続係止体２を形成し、またその左右のケーブルダクト側面部１ｂ、１ｃの下部に連続して脚体支持部３、３をそれぞれ形成している。【００１６】  そして、その左右のケーブルダクト側面部１ｂ、１ｃの下部近傍に穴部４、４を開設すると共に該穴部４、４を終端とする両側面からケーブルダクト上面部１ｄに至る間にスリット状の切断部５を形成し、また上記脚体支持部３、３に逆Ｖ字状の切欠部６、６を形成すると共に長手方向に連続するそのケーブルダクト１に、上述した穴部４、４と切断部５と切欠部６、６を一組として所定間隔で連続して形成している。【００１７】  また、該接続係止体２は、図２に示すように、略中央で開閉するケーブルダクト下面部１ａ、１ａのその両端部の一方端に凹状係止体７と他方端に突状係止体８をそれぞれ形成している。【００１８】  該凹状係止体７は、凹状の両先端を挿入口部９とし、その奥に誘導保持部１０を形成すると共に該凹状の両先端部に当接掛止部１１と先端掛止部１２をそれぞれ形成し、該当接掛止部１１は、先端掛止部１２より若干短寸で先端を尖らせて形成され、一方、先端掛止部１２は、掛止部分が略受け口状に形成されている。【００１９】  また、他方の突状係止体８は、先端側を板状の誘導部１３とし、その基端側の上下それぞれに係止部を形成し、その上部側の係止部は、上記当接掛止部１１が当接係止するようにその先端形状に対応した凹状掛止剖１４を形成し、一方、その下部側には、上記先端掛止部１２が掛止できるように、該先端形状の掛止に対応した基端掛止部１５を形成している。【００２０】  しかして、図３に示す上記形状のケーブルダクト１の押出成形において、該ケーブルダクト１は、押出成型機により押出成形された状態の端面形状を表し、接続係止体２の下辺が分離した若干開いた状態の略台形状で押出成形される。【００２１】  なお、ここで押出成形するケーブルダクト１の材質に関して、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーで、この熱可塑性エラストマーは、弾性変形による回復性と、所定硬度で柔軟性の特性を考慮して選ばれる。【００２２】  また、押出成形された略台形状のケーブルダクト１を、図４に示すように、ケーブルダクト下面部１ａから開くように屈曲開脚させて、ケーブルダクト上面部１ｄとケーブルダクト側面部１ｂ、１ｃを略平面状にし、そしてケーブルダクト下面部１ａ、１ａが下向きに突出するように略門字状の状態で保持し、その状態で、上からプレスなどで穴部４、４と切断部５と切欠部６、６を一組として形成すると共に所定間隔で連続して同様のパターンで形成して、ケーブルダクト上面部１ｄとケーブルダクト側面部１ｂ、１ｃを図５に示すように連続して形成する。【００２３】  しかして、このようにして製造されたケーブルダクト１を使用する時、図６に示すように該ケーブルダクト１を天地逆転させた状態でケーブル１６を収納し、図７に示すように接続係止体２の凹状係止体７と突状係止体８を突合わせ嵌合挿入するように接続係止して該ケーブルダクト１を閉じる。【００２４】  そこで、その突合わせ嵌合挿入する接続係止体２の係止状態は、先ず、図６に示す凹状係止体７の両先端の挿入口部９に突状係止体８の誘導部１３を挿入した状態で、ケーブルダクト側面部１ｂ、１ｃの左右（図中の矢印Ａ、Ａ方向）から力を加えることで、凹状係止体７の誘導保持部１０に誘導部１３が奥まで挿入され、当接掛止部１１が凹状掛止部１４に当接掛止されると共に先端掛止部１２が基端掛止部１５掛止される。【００２５】  その先端掛止部１２が基端掛止部１５に掛止される状態は、例えば、誘導保持部１０に誘導部１３が挿入されて半嵌合状態から深く嵌入され、図７に示すように、矢印Ｂ方向に力を加えることにより所定状態で掛止され、また一方その矢印Ｂ方向の力は、その特定して力を加えるほか、図８に示すように、ケーブルダクト１を屈曲させることでも、同様に矢印Ｂ方向の力が加わり、前記したような矢印Ｂ方向に特定して力を加えなくとも、屈曲させることで容易に接続掛止されてケーブルダクト１を閉じる事ができる。【００２６】  また、ケーブルダクト１を閉じる作業における上記誘導部１３と誘導保持部１０の関係において、ケーブルダクト１の端の誘導部１３を両先端口部９から誘導保持部１０に挿入したとき、少しでも挿入すると誘導部１３が所定長さで形成されているので、挿入作業時に多少上下に振れても外れにくく、また挿入口部９も挿入される誘導部１３に対して余裕を持って形成されるので、挿入しやすく容易に作業ができ、挿入掛止されると、接続係止体２の上下二カ所で掛止され、さらに誘導部１３が所定長さで形成されるのとで、意志を持って外さない限り外れることはない。【００２７】  そして、図８に示すように、ケーブル１６をケーブルダクト１に収納した状態で、産業用のロボットアームなどの可動機構に装着して一方向に屈曲させて使用し、またその屈曲させた時、脚体支持部３、３の切欠部６、６、…の逆Ｖ字状が閉じるように当接し、それ以上屈曲せず、曲がり止めとしての機能を有し、収納するケーブル１６に過度の力が加わらない効果を有する。【００２８】  なお、ケーブルダクト側面部１ｂ、１ｃの下部に脚体支持部３、３をそれぞれ形成しているが、極端に屈曲させない物に使用するのであれば、特にその脚体支持部３、３を形成しなくとも使用可能である。【００２９】  また、ケーブルダクト側面部１ｂ、１ｃの下部近傍に穴部４、４は、プレスなどで切断部５を形成する時及び屈曲による亀裂の発生を防止するために開設された物で、穴の形状は特にこだわらず、また形成しなくとも直ちに影響が及ぶ事はないので、形成しなくとも良い。【００３０】  さらに、切断部５は、スリット状としているが、若干幅広の切断部５として形成しても特にこだわらないが、図示は省略した。
【図面の簡単な説明】
【００３１】
【図１】本発明の一実施例の要部の斜視図である。
【図２】本発明の一実施例の要部の接続係止体２の接続状態を示す正面図である
【図３】本発明の実施例を押出成形した状態を示す正面図である。
【図４】本発明のケーブルダクト１をプレス加工する状態を示す正面図である。
【図５】本発明のケーブルダクト１をプレス加工した状態を示す平面図である。
【図６】本発明のケーブルダクト１を接続係止する状態を示す正面図である。
【図７】本発明のケーブルダクト１を接続係止した状態を示す正面図である。
【図８】本発明の使用状態を示す要部の側面図である。
【符号の説明】
【００３２】１  ケーブルダクト
２  接続係止体
５  切断部
７  凹状係止体
８  突状係止体
９  挿入口部
１０  誘導保持部
１１  当接掛止部
１２  先端掛止部
１３  誘導部
１４  凹状掛止部
１５  基端掛止部
【図１】
2008199869.tif 000003
【図２】
2008199869.tif 000004
【図３】
2008199869.tif 000005
【図４】
2008199869.tif 000006
【図５】
2008199869.tif 000007
【図６】
2008199869.tif 000008
【図７】
2008199869.tif 000009
【図８】
2008199869.tif 000010
【手続補正書】
【提出日】平成19年11月22日(2007.11.22)
【手続補正１】
【補正対象書類名】特許請求の範囲
【補正対象項目名】請求項１
【補正方法】変更
【補正の内容】
【請求項１】
変形回復力を有する材質により一面側で開閉接続係止する接続係止体を有するケーブルダクトを押出成型で形成し、次に一方向に屈曲可能なようにケーブルダクトの接続係止面を除く所定位置の腰部に、長手方向に連続して所定間隔をもって切断加工した該ケーブルダクトの両開閉端である接続係止体の接続係止構造に於いて、該両開閉端の一方端に凹状係止体と他方端に突状係止体をそれぞれ形成し、
該凹状係止体は、先端口部にそれぞれ先端係止部を形成すると共にその奥側に誘導部を形成し、且つ上記他方端の突状係止体が挿入される上側の先端係止部の先端長さを若干短く形成し、
また他方端は、突状係止体の基端側の上下双方にそれぞれ基端係止部を形成すると共に先端側に上記凹状係止体の誘導部に対応する所定長さの誘導部を形成し、上下双方の該基端係止部と上記上下双方の先端係止部が相互に係合するように形成したことを特徴とする屈曲可能なケーブルダクトを閉じるための接続係止構造。
【手続補正２】
【補正対象書類名】明細書
【補正対象項目名】００１１
【補正方法】変更
【補正の内容】
【００１１】  本発明は、上記課題を有効に達成するための解決手段として、一面側で開閉接続係止する接続係止体を有するケーブルダクトを押出成型で形成し、次に一方向に屈曲可能なようにケーブルダクトの接続係止面を除く所定位置の腰部に、長手方向に連続して所定間隔をもって切断加工した該ケーブルダクトの両開閉端である接続係止体の接続係止構造に於いて、該両開閉端の一方端に凹状係止体と他方端に突状係止体をそれぞれ形成し、
該凹状係止体は、先端口部にそれぞれ先端係止部を形成すると共にその奥側に誘導部を形成し、且つ上記他方端の突状係止体が挿入される上側の先端係止部の先端長さを若干短く形成し、
また他方端は、突状係止体の基端側の上下双方にそれぞれ基端係止部を形成すると共に先端側に上記凹状係止体の誘導部に対応する所定長さの誘導部を形成し、上下双方の該基端係止部と上記上下双方の先端係止部が相互に係合するように形成しているので、板状のケーブルダクトを閉じて所定形状のケーブルダクトとして、容易に接続形成する事としている。
【手続補正３】
【補正対象書類名】明細書
【補正対象項目名】００１２
【補正方法】変更
【補正の内容】
【００１２】  本発明は、上述した手段によって有効な効果が得られるようにしたもので、特に、変形回復力を有する材質により一面側で開閉接続係止する接続係止体を有するケーブルダクトを押出成型で形成し、次に一方向に屈曲可能なようにケーブルダクトの接続係止面を除く所定位置の腰部に、長手方向に連続して所定間隔をもって切断加工した該ケーブルダクトの開閉両側端縁に形成する接続係止体の接続係止構造に於いて、該開閉両側端縁の一方端に凹状係止体と他方端に突状係止体をそれぞれ形成し、
該凹状係止体は、先端口部にそれぞれ先端係止部を形成すると共にその奥側に誘導部を形成し、且つ上記他方端の突状係止体が挿入される上側の先端係止部の先端長さを若干短く形成し、
また他方端は、突状係止体の基端側の上下双方にそれぞれ基端係止部を形成すると共に先端側に上記凹状係止体の誘導部に対応する所定長さの誘導部を形成し、上下双方の該基端係止部と上記上下双方の先端係止部が相互に係合するように形成しているので、
ケーブルダクトにケーブルを収納して閉じる時、該接続係止体の凹状係止体と突状係止体が誘導部により容易に接続でき、またその閉じる接続係止状況において、奥まで挿入した状態で所定方向に屈曲させると凹状係止体と突状係止体が共に屈曲し、その屈曲で先端係止部と基端係止部が嵌合する方向に力が加わり、全体として半嵌合状態でも個々に嵌合させなくとも、前記したその屈曲の力により自ら嵌合掛止され、よってケーブルダクトを所定形状に閉じる時、不完全な状態でも閉じることで、作業が簡単、且つ容易にでき、作業性の向上が図れ、作業コストの低減によるコストダウンとなる。
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
変形回復力を有する材質により一面側で開閉接続係止する接続係止体を有するケーブルダクトを押出成型で形成し、次に一方向に屈曲可能なようにケーブルダクトを平面状に開脚すると共にその接続係止面を除く所定位置の腰部に、長手方向に連続して所定間隔をもって切断加工した該ケーブルダクトの両開閉端である接続係止体の接続係止構造に於いて、該両開閉端の一方端に凹状係止体と他方端に突状係止体をそれぞれ形成し、
該凹状係止体は、該両先端部の一方に当接係止部と他方に掛止部を有する先端係止部をそれぞれ形成すると共にその奥側に誘導保持部を形成し、且つケーブルダクトの内側に配置する先端係止部の該先端長さを若干短く形成し、
また他方端の突状係止体は、基端側の上下双方にそれぞれ基端係止部を形成すると共にその先端側に、上記凹状係止体の誘導保持部に対応する若干短寸で且つ先端口部の両先端係止部へ挿入時に遊嵌できる程度の板厚の誘導部を形成し、該突状係止体の上下双方の該基端係止部と上記凹状係止体の上下双方の先端係止部が相互に係合するように形成したことを特徴とする屈曲可能なケーブルダクトを閉じるための接続係止構造。
【手続補正２】
【補正対象書類名】明細書
【補正対象項目名】００１１
【補正方法】変更
【補正の内容】
【００１１】  本発明は、上記課題を有効に達成するための解決手段として、一面側で開閉接続係止する接続係止体を有するケーブルダクトを押出成型で形成し、次に一方向に屈曲可能なようにケーブルダクトを平面状に開脚すると共にその接続係止面を除く所定位置の腰部に、長手方向に連続して所定間隔をもって切断加工した該ケーブルダクトの両開閉端である接続係止体の接続係止構造に於いて、該両開閉端の一方端に凹状係止体と他方端に突状係止体をそれぞれ形成し、
該凹状係止体は、該両先端部の一方に当接係止部と他方に掛止部を有する先端係止部をそれぞれ形成すると共にその奥側に誘導保持部を形成し、且つケーブルダクトの内側に配置する先端係止部の該先端長さを若干短く形成し、
また他方端の突状係止体は、基端側の上下双方にそれぞれ基端係止部を形成すると共にその先端側に、上記凹状係止体の誘導保持部に対応する若干短寸で且つ先端口部の両先端係止部へ挿入時に遊嵌できる程度の板厚の誘導部を形成し、該突状係止体の上下双方の該基端係止部と上記凹状係止体の上下双方の先端係止部が相互に係合するように形成しているので、板状のケーブルダクトを閉じて所定形状のケーブルダクトとして、容易に接続形成する事としている。
【手続補正３】
【補正対象書類名】明細書
【補正対象項目名】００１２
【補正方法】変更
【補正の内容】
【００１２】    本発明は、上述した手段によって有効な効果が得られるようにしたもので、特に、変形回復力を有する材質により一面側で開閉接続係止する接続係止体を有するケーブルダクトを押出成型で形成し、次に一方向に屈曲可能なようにケーブルダクトを平面状に開脚すると共にその接続係止面を除く所定位置の腰部に、長手方向に連続して所定間隔をもって切断加工した該ケーブルダクトの両開閉端である接続係止体の接続係止構造に於いて、該両開閉端の一方端に凹状係止体と他方端に突状係止体をそれぞれ形成し、
該凹状係止体は、該両先端部の一方に当接係止部と他方に掛止部を有する先端係止部をそれぞれ形成すると共にその奥側に誘導保持部を形成し、且つケーブルダクトの内側に配置する先端係止部の該先端長さを若干短く形成し、
また他方端の突状係止体は、基端側の上下双方にそれぞれ基端係止部を形成すると共にその先端側に、上記凹状係止体の誘導保持部に対応する若干短寸で且つ先端口部の両先端係止部へ挿入時に遊嵌できる程度の板厚の誘導部を形成し、該突状係止体の上下双方の該基端係止部と上記凹状係止体の上下双方の先端係止部が相互に係合するように形成しているので、
ケーブルダクトにケーブルを収納して閉じる時、該接続係止体の凹状係止体と突状係止体が誘導部により容易に接続でき、またその閉じる接続係止状況において、奥まで挿入した状態で所定方向に屈曲させると凹状係止体と突状係止体が共に屈曲し、その屈曲で先端係止部と基端係止部が嵌合する方向に力が加わり、全体として半嵌合状態でも個々に嵌合させなくとも、前記したその屈曲の力により自ら嵌合掛止され、よってケーブルダクトを所定形状に閉じる時、不完全な状態でも閉じることで、作業が簡単、且つ容易にでき、作業性の向上が図れ、作業コストの低減によるコストダウンとなる。
【手続補正４】
【補正対象書類名】明細書
【補正対象項目名】００１９
【補正方法】変更
【補正の内容】
【００１９】  また、他方の突状係止体８は、先端側に板状の誘導部１３を形成し、該誘導部１３は、図６に示す凹状係止体７と突状係止体８を両先端の挿入口部９から嵌合挿入する状態の時、両先端部の当接掛止部１１と先端掛止部１２から図６に示すように遊嵌状に挿入できる程度の板厚に形成され、該誘導部１３の基端側の上下それぞれに係止部を形成し、その上部側の係止部は、上記当接掛止部１１が当接係止するようにその先端形状に対応した断面略Ｖ字状の凹状掛止部１４を形成し、一方、その下部側には、上記先端掛止部１２が掛止できるように、該先端形状の掛止に対応した基端掛止部１５を形成している。
【手続補正５】
【補正対象書類名】明細書
【補正対象項目名】００２４
【補正方法】変更
【補正の内容】
【００２４】  そこで、その突合わせ嵌合挿入する接続係止体２の係止状態は、先ず、図６に示す凹状係止体７の両先端の挿入口部９に突状係止体８の誘導部１３を挿入した状態で、ケーブルダクト側面部１ｂ、１ｃの左右（図中の矢印Ａ、Ａ方向）から力を加えることで、凹状係止体７の誘導保持部１０に誘導部１３が奥まで挿入されると、当接掛止部１１が凹状掛止部１４に当接掛止されると同時に先端掛止部１２が基端掛止部１５を乗り越えて該基端掛止部１５に掛止される。